(57)【要約】【課題】本発明は、低い圃場からでも高い畦からでも乗降用ステップを使用して容易に圃場作業車の運転部ステップに乗り込むことが出来るようにすることを課題とする。【解決手段】走行車体２のステップフロアー１３に作業者が搭乗して操縦操作をする圃場作業車において、ステップフロアー１３の側部で走行車体２に設ける乗降用ステップ２７，２８をステップフロアー１３より低い位置と高い位置に移動固定可能にしたことを特徴とする圃場作業車の乗降装置とする。【選択図】図３
2018068162.tif 000002
【特許請求の範囲】
【請求項１】
走行車体（２）のステップフロアー（１３）に作業者が搭乗して操縦操作をする圃場作業車において、前記ステップフロアー（１３）の側部で前記走行車体（２）に設ける乗降用ステップ（２７，２８）を前記ステップフロアー（１３）より低い位置と高い位置に移動固定可能にしたことを特徴とする圃場作業車の乗降装置。
【請求項２】
前記乗降用ステップ（２７，２８）を前記走行車体（２）に支持する前後の支持アーム（２６，２６）を前記走行車体（２）に枢支すると共に枢支部を第一ロック機構（２９）でロックして下方張出状態と上方張出状態でロックし、該支持アーム（２６，２６）に前記乗降用ステップ（２７，２８）を前記下方張出状態と前記上方張出状態で踏み面を水平にロックする第二ロック機構（３９）で取り付けたことを特徴とする請求項１に記載の圃場作業車の乗降装置。
【請求項３】
前記支持アーム（２６，２６）を前記第一ロック機構（２９）で前記走行車体（２）に起立固定し、前記乗降用ステップ（２７，２８）を前記第二ロック機構（３９）で前記支持アーム（２６，２６）に沿わせて固定可能にしたことを特徴とする請求項２に記載の圃場作業車の乗降装置。
【発明の詳細な説明】
【技術分野】
【０００１】
本発明は、乗用型田植機等の圃場で作業する圃場作業車における乗降装置に関する。
【背景技術】
【０００２】
特許文献１に記載の乗用型田植機では、操縦席を設ける運転部ステップに乗降する乗降用ステップを運転部ステップよりも低い位置で車体側方へ突出して固定して、作業者が乗降用ステップを踏んで運転部ステップに搭乗する。
【先行技術文献】
【特許文献】
【０００３】
【特許文献１】特開２０１６−７７２００号公報
【発明の概要】
【発明が解決しようとする課題】
【０００４】
圃場が畦よりもかなり低い位置にある場合は、作業者は畦から一旦圃場へ降りて乗降用ステップを使って運転部ステップに乗り込むようになるが、面倒である。また、畦から直接運転部ステップに乗り込むことは、畦と運転部ステップが離れていて無理である。
【０００５】
そこで、本発明は、低い圃場からでも高い畦からでも乗降用ステップを使用して容易に圃場作業車の運転部ステップに乗り込むことが出来るようにすることを課題とする。
【０００６】
なお、以下の説明で、運転部ステップをステップフロアーと表示する。
【課題を解決するための手段】
【０００７】
上記本発明の課題は、次の技術手段により解決される。
【０００８】
請求項１に記載の発明は、走行車体２のステップフロアー１３に作業者が搭乗して操縦操作をする圃場作業車において、ステップフロアー１３の側部で走行車体２に設ける乗降用ステップ２７，２８をステップフロアー１３より低い位置と高い位置に移動固定可能にしたことを特徴とする圃場作業車の乗降装置とする。
【０００９】
請求項２に記載の発明は、乗降用ステップ２７，２８を走行車体２に支持する前後の支持アーム２６，２６を走行車体２に枢支すると共に枢支部を第一ロック機構２９でロックして下方張出状態と上方張出状態でロックし、該支持アーム２６，２６に乗降用ステップ２７，２８を下方張出状態と上方張出状態で踏み面を水平にロックする第二ロック機構３９で取り付けたことを特徴とする請求項１に記載の圃場作業車の乗降装置とする。
【００１０】
請求項３に記載の発明は、支持アーム２６，２６を第一ロック機構２９で走行車体２に起立固定し、乗降用ステップ２７，２８を第二ロック機構３９で支持アーム２６，２６に沿わせて固定可能にしたことを特徴とする請求項２に記載の圃場作業車の乗降装置とする。
【発明の効果】
【００１１】
請求項１に記載の発明で、高い畦のある圃場で作業を行う場合には、乗降用ステップ２７，２８をステップフロアー１３よりも高い位置に固定することで、作業者は乗降用ステップ２７，２８を使って高い畦から直接ステップフロアー１３に乗り込んだりステップフロアー１３から高い畦に降りたりすることが可能で、効率的な作業を行える。
【００１２】
請求項２に記載の発明で、請求項１に記載の効果に加えて、支持アーム２６，２６を下方張出状態に第一ロック機構２９で走行車体２に固定し第二ロック機構３９で乗降用ステップ２７，２８の踏み面を水平に固定すると、作業者が圃場とステップフロアー１３の間で乗り降りが可能になり、支持アーム２６，２６を上方張出状態に第一ロック機構２９で走行車体２に固定し第二ロック機構３９で乗降用ステップ２７，２８の踏み面を水平に固定すると、ステップフロアー１３と高い畦の間で乗り降りが可能になる。
【００１３】
請求項３に記載の発明で、請求項２に記載の効果に加えて、支持アーム２６，２６と乗降用ステップ２７，２８が走行車体２の側方に起立することで、機体幅を広げることなく、ステップフロアー１３から作業者が滑り落ちるのを防止できる。
【図面の簡単な説明】
【００１４】
【図１】乗用田植え機の右側面図
【図２】乗用田植え機の平面図
【図３】乗降用ステップの側面図
【図４】第一ロック機構の側断面図
【図５】第二ロック機構の側断面図
【発明を実施するための形態】
【００１５】
以下、本発明の実施形態を図面に示す実施例を参照しながら説明する。なお、実施例の説明においては、機体の前進方向に向かって左右方向をそれぞれ左、右といい、前進方向を前、後進方向を後というが、本発明の構成を限定するものでは無い。
【００１６】
以下、図面を参照しながら、本発明の作業車両の一実施の形態としての乗用型田植機について説明する。
【００１７】
はじめに、図１及び図２を参照しながら、本実施の形態の乗用型田植機の構成及び動作について説明する。
【００１８】
ここに、図１は本発明における実施の形態の乗用型田植機の左側面図であり、図２は本発明における実施の形態の乗用型田植機の平面図である。
【００１９】
図１、図２に示す通り、本実施の形態の乗用型田植機１は、走行車体２の後側に昇降リンク装置３を介して苗植付部４が昇降可能に装着され、走行車体２の後部上側に施肥装置５の本体部分が設けられている。
【００２０】
走行車体２は、駆動輪である左右一対の前輪２１、２１及び左右一対の後輪２２、２２を備えた四輪駆動車両であって、機体の前部にミッションケース１２が配置され、そのミッションケース１２の左右側方に左右前輪ファイナルケース１００、１００が設けられ、該左右前輪ファイナルケース１００、１００の操向方向を変更可能なそれぞれの前輪支持部から外向きに突出する左右前輪車軸２１ａに、左右前輪２１、２１がそれぞれ取り付けられている。尚、ミッションケース１２の背面部にメインフレーム１５の前端部が固着されている。
【００２１】
また、左右前輪ファイナルケース１００、１００は、それぞれ、キングピンシャフト（図示省略）の上部を覆う上部ケース１１０と、キングピンシャフトの下部を覆うと共に、上部ケース１１０に対して摺動及び回動可能に設けられた下部ケース１２０と、を有している。ここで、キングピンシャフトは、前輪２１にミッションケース１２からの駆動力を伝動すると共に、サスペンション機構（図示省略）により左右前輪ファイナルケース１００、１００内にそれぞれ上下動可能に配置されている。
【００２２】
また、後輪支持部材としての後輪伝動ケース１９の左右側部に左右後輪２２、２２がそれぞれ取り付けられている。
【００２３】
また、エンジン７はメインフレーム１５の上に搭載されており、該エンジン７の回転動力が、ベルト伝動装置２４及びＨＳＴ２３を介してミッションケース１２に伝達される。
ミッションケース１２に伝達された回転動力は、ミッションケース１２内の変速機構（図示省略）により変速された後、走行動力と外部取出動力に分離して取り出される。そして、走行動力は、一部が前輪ファイナルケース１００、１００に伝達されて前輪２１、２１を駆動すると共に、残りが左右後輪ギヤケース（図示省略）に伝達されて、後輪伝動ケース１９から左右後輪２２、２２を駆動する。
【００２４】
また、ミッションケース１２の右側側面より取出された外部取出動力は、植付伝動軸６によって苗植付部４へ伝動される。
【００２５】
メインフレーム１５の上面は、作業者が搭乗するステップフロアー１３を形成し、メインフレーム１５に搭載したエンジン７の上部はエンジンカバー７ａで覆われており、その上に操縦座席８が設置されている。操縦座席８の前方には左右前輪２１、２１を操向操作するハンドル９が設けられている。
【００２６】
走行車体２の左右側部には、図３に示す如く、前後の支持アーム２６，２６で踏み面を水平にした乗降用ステップ２７，２８を設けている。支持アーム２６，２６は、斜め側上方に向けた状態と斜め側下方に向けた状態と側方に起立した状態の三姿勢に第一ロック機構２９で固定可能とし、前後の支持アーム２６，２６間に設ける乗降用ステップ２７，２８は、第二ロック機構３９で踏み面を水平に固定する。なお、乗降用ステップ２７，２８のステップ面には前後方向の長穴を設けて泥土が落下し易くすると共に、多数の突起を設けて滑らないようにする。
【００２７】
図４は、第一ロック機構２９の側断面図で、走行車体２から側方へ突出するサイド取付アーム２５に枢支軸３２で支持アーム２６を回動可能に軸支する。枢支軸３２の内側を支持アーム２６に固着し、サイド取付アーム２５から外側に突出する部分には四角嵌合するロックリング３４とピン３３で止めたバネリング３１との間に圧縮バネ３０を介在してロックリング３４をサイド取付アーム２５に圧接している。ロックリング３４にはサイド取付アーム２５に所定角度毎に設ける係止穴に嵌合する係止突起３４ａと解除アーム３４ｂを設けている。
【００２８】
従って、解除アーム３４ｂを外側に引いてロックリング３４をサイド取付アーム２５から外して支持アーム２６を回動して図３に示すように側上方に突出する状態（水平から１８０°起立した状態）と側下方に突出する状態（水平から６０°倒した状態）及び図示していないが直立する収納状態にし、ロックリング３４を戻すと固定出来る。
【００２９】
図５は、第一ロック機構２９の側断面図で、前後の支持アーム２６を貫通する支持軸３８の四角嵌合部３８ａに乗降用ステップ２７の取付部２７ａを嵌合している。
【００３０】
支持軸３８の支持アーム２６から突出する部分には、支持軸３８にロックリング３５を四角嵌合して、ピン４０で抜け止めしたバネリング３７との間に圧縮バネ３６を介在してロックリング３５を支持アーム２６に圧接している。ロックリング３５には支持アーム２６に所定角度毎に設ける係止穴に嵌合する係止突起３５ａと解除アーム３５ｂを設けている。
【００３１】
解除アーム３５ｂを外側に引いてロックリング３５を支持アーム２６から外して支持軸３８を回動すると乗降用ステップ２７が回動し、支持アーム２６が側上方に突出する状態と側下方に突出する状態で乗降用ステップ２７の上面を水平に固定出来る。
【００３２】
以上の構成で、高い畦からステップフロアー１３に乗り込む場合には、第一ロック機構２９で前後の支持アーム２６を側下方に突出する状態に固定して、第二ロック機構３９で乗降用ステップ２７，２８をその踏み面が水平になるように固定することで、作業者は乗降用ステップ２７，２８を使って、ステップフロアー１３に乗り込むことが容易にできる。
【００３３】
また、圃場等の低い位置からステップフロアー１３に乗り込む場合には、第一ロック機構２９で前後の支持アーム２６を側下方に突出する状態に固定して、第二ロック機構３９で乗降用ステップ２７，２８をその踏み面が水平になるように固定すると良い。
【００３４】
なお、前後の支持アーム２６，２６を走行車体２に起立させ乗降用ステップ２７，２８を支持アーム２６，２６に沿わせて固定すると、苗植付部４の左右幅内に収まり、ステップフロアー１３上の作業者が滑り落ちるのを防止できる。
【符号の説明】
【００３５】
２  走行車体
１３  ステップフロアー
２６  支持アーム
２７，２８  乗降用ステップ
２９  第一ロック機構
３９  第二ロック機構
【図１】
2018068162.tif 000003
【図２】
2018068162.tif 000004
【図３】
2018068162.tif 000005
【図４】
2018068162.tif 000006
【図５】
2018068162.tif 000007